(57)【要約】  双方向リモコン（１８）からの変更指令等により車載制御部としてのバッテリＥＣＵ（８０）等が車両状態を変更したとき、変更後の車両状態情報が、車載通信部としてのＴＣＵ（７２）から移動通信回線（３１）を通じてサーバ（１４）にアップロードされる。携帯通信端末（１６）で車両（１２）の車両状態情報を取得する場合に車両（１２）まで通信する必要なく、サーバ（１４）から車両状態情報を素早く取得できる車両通信システム（１０）が提供される。
2014002245.tif 000002
【特許請求の範囲】
【請求項１】
移動通信回線（３２）を通じてサーバ（１４）と通信する携帯通信端末（１６）と、
前記移動通信回線（３１）を通じて前記サーバ（１４）との間で通信する車載通信部（７２）と、蓄電装置（２２）と、前記蓄電装置（２２）の少なくとも充電状態を含む車両状態を確認乃至変更する車載制御部（８０）と、を備える車両（１２）と、
前記車両（１２）の前記車両状態を確認乃至変更する確認乃至変更指令を前記車載制御部（８０）に送信する双方向無線方式のリモコン（１８）と、を備え、
前記車載通信部（７２）は、
前記リモコン（１８）からの前記確認乃至変更指令により前記車載制御部（８０）が前記車両状態を確認乃至変更したとき、確認乃至変更したときの車両状態情報を、前記移動通信回線（３１）を通じて前記サーバ（１４）にアップロードする
ことを特徴とする車両通信システム（１０）。
【請求項２】
請求項１記載の車両通信システム（１０）において、
前記車両（１２）は、充電プラグ（４２）を通じて外部充電装置（２０）に接続されて前記蓄電装置（２２）が充電されるものであり、
前記車載制御部（８０）は、前記充電プラグ（４２）の着脱状態を前記車両状態として確認するものであり、
前記車載通信部（７２）は、
前記着脱状態が変更されたとき、変更後の内容を前記車両状態情報として、前記移動通信回線（３１）を通じて前記サーバ（１４）にアップロードする
ことを特徴とする車両通信システム（１０）。
【請求項３】
請求項１又は２に記載の車両通信システム（１０）において、
前記サーバ（１４）は、
前記携帯通信端末（１６）から前記移動通信回線（３２）を通じて前記車両状態の確認要求を受信したとき、最新の車両状態情報を前記携帯通信端末（１６）に送信する
ことを特徴とする車両通信システム（１０）。
【請求項４】
請求項１〜３のいずれか１項に記載の車両通信システム（１０）において、
前記携帯通信端末（１６）は、
前記車両（１２）の前記車両状態を変更する変更指令を、前記移動通信回線（３２、３１）及び前記サーバ（１４）を通じ、前記車載通信部（７２）を介して前記車載制御部（８０）に送信するものであり、
前記サーバ（１４）は、
前記携帯通信端末（１６）から前記変更指令を受けたとき、当該変更指令の内容が、前記車載通信部（７２）から受信している前記車両状態情報の変更指令の内容と同内容であるとき、前記携帯通信端末（１６）からの前記変更指令を前記車載通信部（７２）には送信せずに、既に変更指令が前記車載制御部（８０）に通知済みであることを前記携帯通信端末（１６）に送信する
ことを特徴とする車内通信システム（１０）。
【請求項５】
請求項１〜４のいずれか１項に記載の車両通信システム（１０）において、
前記サーバ（１４）は、
前記車載通信部（７２）から前記移動通信回線（３１）を通じて前記車両状態情報を受信したとき、受信した前記車両状態情報を、前記移動通信回線（３２）を通じて前記携帯通信端末（１６）に送信する
ことを特徴とする車両通信システム（１０）。
【発明の詳細な説明】
【技術分野】
【０００１】
この発明は、携帯通信端末から移動通信回線を介して車載装置を遠隔操作し、車両状態を変化させることが可能な車両通信システムに関する。
【背景技術】
【０００２】
従来から、テレマティクス装置を搭載した電気自動車のユーザが、前記電気自動車から離れた場所で携帯通信端末を操作し、移動通信回線及びサーバを介して、前記電気自動車の前記テレマティクス装置を通じて空調装置を作動させ、前記空調装置の温度調節部を通じて前記電気自動車の車内温度を調節する車両通信システムが提案されている｛米国特許出願公開第２０１２／０１０１６５９号公報（ＵＳ２０１２／０１０１６５９Ａ１）の［００３８］〜［００５７］参照｝。【０００３】
より詳しく説明すると、この車両通信システムでは、前記電気自動車が充電所に進入し、前記ユーザが前記充電所の充電プラグを前記電気自動車に差し込むと、前記電気自動車のバッテリ充電部が、６〜８時間程度の充電を開始する。【０００４】
前記ユーザが前記充電所から離れて、前記携帯通信端末を前記サーバに接続すると、前記サーバは、前記電気自動車の前記テレマティクス装置と通信して前記テレマティクス装置から、車載バッテリのバッテリ充電状態（ＳＯＣ：Ｓｔａｔｅ  Ｏｆ  Ｃｈａｒｇｅ）、充電完了予想時間、及び車室内外温度等の車両状態を表す情報（車両状態情報という。）を得、前記ユーザが所持する前記携帯通信端末に送信する。【０００５】
このようにして、前記電気自動車が充電中のときに、バッテリ充電情報及び車室内外温度情報が、遠隔地の前記ユーザの前記携帯通信端末上で確認され、確認した前記ユーザが前記携帯通信端末上で前記電気自動車の車室内温度を所望の温度に設定する。これにより、前記ユーザが前記携帯通信端末、前記サーバ、前記テレマティクス装置、及び前記空調装置の前記温度調節部を通じて前記充電所の充電電流を利用し前記電気自動車の室内温度を調節することができ、前記電気自動車の前記バッテリの電力を消費しないでも車室を快適な状態にしておくことができると開示されている。
【発明の概要】
【０００６】
しかしながら、上記従来技術に係る車両通信システムにおいては、前記携帯通信端末の前記ユーザが車両状態情報を得るためには、移動通信網を介して前記サーバと回線接続し、さらに前記サーバが前記移動通信網を介して前記電気自動車の前記テレマティクス装置と回線接続する必要があり、通信費が嵩むと共に、前記移動通信回線上で、前記携帯通信端末と前記サーバと前記テレマティクス装置との間の接続開始から接続完了までに時間が、例えば数分程度かかる場合があるという課題がある。
【０００７】
一方、前記電気自動車等の車両では、例えば、運転者が乗車する前に車両の空気調和装置（エアコン）を駆動する、いわゆるプリエアコンディショニングを行う際に、換言すれば、車両のエアコンを車両外部から操作（温度調節乃至駆動）しようとする際に、数十メートル程度以内の範囲で通信が可能な双方向無線方式のリモコンによっても駆動したいという要望がある。
【０００８】
このように車両状態を変化させる指令を送出する主体が、前記携帯通信端末の他に前記リモコンまで及ぶようになると、両方の指令が競合（衝突）する場合が考えられるが、車両状態の変更指令の競合（衝突）の際の処理（調停）に関して、ＵＳ２０１２／０１０１６５９Ａ１には何も開示されていない。
【０００９】
この発明は前記の課題及び要望を考慮してなされたものであり、携帯通信端末上で車両状態を素早く取得することができると共に、携帯通信端末とリモコンとの車両状態の変更指令が競合（衝突）した場合においても適切な処理（調停）を行うことを可能とする車両通信システムを提供することを目的とする。
【００１０】
この発明に係る車両通信システムは、移動通信回線を通じてサーバと通信する携帯通信端末と、前記移動通信回線を通じて前記サーバとの間で通信する車載通信部と、蓄電装置と、前記蓄電装置の少なくとも充電状態を含む車両状態を確認乃至変更する車載制御部と、を備える車両と、前記車両の前記車両状態を確認乃至変更する確認乃至変更指令を前記車載制御部に送信する双方向無線方式のリモコンと、を備え、前記車載通信部は、前記リモコンからの前記確認乃至変更指令により前記車載制御部が前記車両状態を確認乃至変更したとき、確認乃至変更したときの車両状態情報を、前記移動通信回線を通じて前記サーバにアップロードすることを特徴とする。
【００１１】
この発明によれば、リモコンからの確認乃至変更指令により車載制御部が車両状態を確認乃至変更したとき、確認乃至変更したときの車両状態情報を、前記移動通信回線を通じて前記サーバにアップロードするようにしたので、前記サーバに最新の車両状態情報を記憶しておくことができる。
【００１２】
この場合、前記車両は、充電プラグを通じて外部充電装置に接続されて前記蓄電装置が充電されるものであり、前記車載制御部は、前記充電プラグの着脱状態を前記車両状態として確認するものであり、前記車載通信部は、前記着脱状態が変更されたとき、変更後の内容を前記車両状態情報として、前記移動通信回線を通じて前記サーバにアップロードするように構成することが好ましい。
【００１３】
この発明によれば、車載通信部は、充電プラグの着脱状態が変更されたとき、変更後の内容を車両状態情報としてサーバにアップロードするようにしたので、前記サーバに、最新の、車両と外部充電装置との接続状態又は非接続に係る車両状態情報を記憶しておくことができる。
【００１４】
また、前記サーバは、前記携帯通信端末から前記移動通信回線を通じて前記車両状態の確認要求を受信したとき、最新の車両状態情報を前記携帯通信端末に送信するように構成することが好ましい。
【００１５】
この発明によれば、前記サーバは、前記携帯通信端末から前記移動通信回線を通じて前記車両状態の確認要求を受信したとき、最新の車両状態情報を前記携帯通信端末に送信するようにしたので、前記携帯通信端末のユーザは、前記サーバに問い合わせることで、最新の車両状態情報を素早く取得することができる。つまり、リモコンを利用した車両側での車両状態の確認乃至変さらに同期してサーバ側の車両状態情報が変更（更新）されるので、前記携帯通信端末からサーバに車両状態の確認要求がなされたとき、サーバは、移動通信回線を介して車両に問い合わせる必要がなくなる。そのため、その分（サーバから車両に問い合わせて車両から返信を受領するまでの時間）早く、携帯通信端末で車両状態情報を取得することができる。また、前記車両に対する前記充電プラグと前記外部充電装置との接続状態及び非接続状態も、携帯通信端末が取得した車両状態情報で同時に確認することができる。
【００１６】
さらに、前記携帯通信端末は、前記車両の前記車両状態を変更する変更指令を、前記移動通信回線及び前記サーバを通じ、前記車載通信部を介して前記車載制御部に送信するものであり、前記サーバは、前記携帯通信端末から前記変更指令を受けたとき、当該変更指令の内容が、前記車載通信部から受信している前記車両状態情報の変更指令の内容と同内容であるとき、前記携帯通信端末からの前記変更指令を前記車載通信部には送信せずに、既に変更指令が前記車載制御部に通知済みであることを前記携帯通信端末に送信するように構成することが好ましい。
【００１７】
この発明によれば、サーバは、携帯通信端末から変更指令を受けたとき、当該変更指令の内容が、車載通信部から受信している車両状態情報と同内容であるとき、前記携帯通信端末からの前記変更指令を前記車載通信部には送信せずに、既に変更指令が前記車載制御部に通知済みであることを前記携帯通信端末に送信するようにしたので、前記携帯通信端末と前記リモコンとの指令が衝突した場合に、リモコンを優先するというユーザの感性に合致した適切な調停を行うことができる。
【００１８】
さらにまた、前記サーバは、前記車載通信部から前記移動通信回線を通じて前記車両状態情報を受信したとき、受信した前記車両状態情報を、前記移動通信回線を通じて前記携帯通信端末に送信するように構成することが好ましい。
【００１９】
この発明によれば、サーバが車載通信部から車両状態情報を受信したとき、自動的に、携帯通信端末に、変更後の車両状態情報を通知することができる。
【００２０】
この発明に係る車両通信システムによれば、携帯通信端末上で車両状態を素早く取得することができると共に、携帯通信端末とリモコンとの車両状態の変更指令が競合（衝突）した場合においても適切な処理（調停）を行うことができるという効果が達成される。
【図面の簡単な説明】
【００２１】
【図１】この発明の実施形態に係る車両通信システムの概略構成図である。
【図２】図１の車両通信システムの各構成要素のブロック図である。
【図３】実施形態のリモコンの正面図である。
【図４】前記リモコンの表示部の表示説明図である。
【図５】図１の車両通信システムの制御シーケンス図である。
【図６】図６Ａは、非充電中、エアコン非作動中の表示部における車両状態情報の表示説明図、図６Ｂは、充電中、エアコン非作動中の表示部における車両状態情報の表示説明図である。
【発明を実施するための形態】
【００２２】
以下、この発明の実施形態について図面を参照して説明する。
【００２３】
図１は、この実施形態に係る車両通信システム１０の概略構成を示している。
【００２４】
この実施形態に係る車両通信システム１０は、基本的に、車両１２と、サーバ１４と、携帯通信端末１６（第１通信部、第１遠隔操作部）と、リモコン１８（第２通信部、第２遠隔操作部）と、外部充電装置２０とから構成される。
【００２５】
車両１２は、この実施形態では、電気をエネルギ源とし電動機を動力源として走行する電気自動車であるが、電気自動車に限らず、プラグインハイブリッド自動車、プラグイン燃料電池自動車等、外部の外部充電装置２０から充電可能なバッテリ（２次電池）等の蓄電装置２２（図２参照）を備える車両であれば、この発明を適用することができる。
【００２６】
蓄電装置２２は、この実施形態では、バッテリを用いているが、同様に充放電可能なキャパシタ等に代替することができる。
【００２７】
携帯通信端末１６は、この実施形態ではデータ通信機能及び電話機能等を備えるスマートフォンを用いているが、スマートフォンに限らず、携帯電話、タブレット端末、又はモバイルＰＣ（パーソナルコンピュータ）等に代替することができる。
【００２８】
リモコン１８は、小電力電波を利用した交信距離が数十メートル程度の双方向無線方式の遠隔操作装置であるが、このリモコン１８（双方向リモコン）を、ドアロックを施錠・解錠する表示部付きの電子キーやスマートキーに代替することができる。但し、図１に示すリモコン１８のように、表示部６０を必須の構成要素として備える必要がある。
【００２９】
サーバ１４は、車両１２の車台番号等の個別識別情報に対応して車両状態情報を記憶する車両状態テーブル２４（車両状態情報テーブル）（図２参照）を備える。
【００３０】
車両状態テーブル２４には、それぞれが車両状態情報である、（ａ）蓄電装置２２の充電状態ＳＯＣ［％］情報、（ｂ）充電ポート４６に充電プラグ４２が装着（接続）されているか否か及び装着されている場合には装着された充電プラグ４２が普通充電用か急速充電用かの充電プラグ接続情報、（ｃ）温度センサ１１０で取得された車内外温度情報、（ｄ）車両１２の蓄電装置２２が充電中状態か否（非充電中状態）かの充電情報、及び（ｅ）エアコン１０８が作動中（エアコン作動中状態）であるか否（エアコン非作動中状態）かのエアコン情報（エアコン状態）等が記憶される。
【００３１】
後述するように、車両状態テーブル２４に記憶されている上記の車両状態情報は、外部操作装置、この実施形態では、リモコン１８又は携帯通信端末１６からの変更乃至確認指令に基づく車両１２内での実際の車両状態変化に同期して更新され記憶されるようになっている。
【００３２】
車両１２と携帯通信端末１６とは、公衆回線網をも利用する移動通信網の移動通信回線３１（第１通信回線）、サーバ１４、及び他の移動通信回線３２（第２通信回線）を通じて接続される。
【００３３】
車両１２とリモコン１８とは、局所回線３３（第３通信回線）で通信され、上述したように、通信範囲が、数十ｍ程度以下に規制されている。
【００３４】
外部充電装置２０としては、普通充電器及び／又は急速充電器が準備される。外部充電装置２０は、本体部３８とケーブル４０と充電プラグ４２とを備え、ケーブル４０には、図２に示すように、電力線５０と制御線５１が含まれる。
【００３５】
外部充電装置２０の充電プラグ４２は、ケーブル４０を通じて車両１２に設けられた図示しないリッド付きの充電ポート４６に着脱自由に接続される。
【００３６】
図２は、図１の車両通信システム１０の各構成要素のブロック図を示している。
【００３７】
図２に示すように、携帯通信端末１６は、公知の構成を有しており、制御部であるＥＣＵ（Ｅｌｅｃｔｒｏｎｉｃ  Ｃｏｎｔｒｏｌ  Ｕｎｉｔ）５２と、このＥＣＵ５２に接続されるディスプレイである表示部５４と、操作部５６（タッチパネルも含む。）と、通信部５８とを備える。
【００３８】
リモコン１８は、制御部であるＥＣＵ６２と、このＥＣＵ６２に接続されるディスプレイである表示部６０と、操作部６６と、通信部６８とを備える。操作部６６は、電源スイッチ６６ａと、充電スイッチ６６ｂ（充電オンオフ切替スイッチ）と、エアコンスイッチ６６ｃ（エアコンオンオフ切替スイッチ）とから構成されている。なお、リモコン１８には、ストラップを掛ける孔部６９（図３参照）が設けられている。
【００３９】
サーバ１４は、上述した車両状態テーブル２４を備え、クライアントとしての携帯通信端末１６に前記車両状態情報の提供等のサービスを提供すると共に、携帯通信端末１６からの指令に基づき、車両１２のエアコン１０８の作動非作動の切り替え、蓄電装置２２の充電非充電状態の切り替え等の遠隔操作を仲介処理する。
【００４０】
車両１２は、ＣＡＮ（Ｃｏｎｔｒｏｌｌｅｒ  Ａｒｅａ  Ｎｅｔｗｏｒｋ）等の通信線７０を有し、この通信線７０を介して、テレマティクス制御ユニットであるＴＣＵ（Ｔｅｌｅｍａｔｉｃｓ  Ｃｏｎｔｒｏｌ  Ｕｎｉｔ）７２と、双方向リモコンユニット｛ＢＲＵ（Ｂｉｄｉｒｅｃｔｉｏｎａｌ  Ｒｅｍｏｔｅ−ｃｏｎｔｒｏｌ  Ｃｏｍｍｕｎｉｃａｔｉｏｎ  Ｕｎｉｔ）という。｝７４と、メータＥＣＵ７６（メータ制御部）と、エアコンＥＣＵ７８（エアコン制御部）と、バッテリＥＣＵ８０（蓄電装置制御部）等とが双方向通信可能に接続されている。
【００４１】
ＴＣＵ７２及びＢＲＵ７４には、空中線であるアンテナ１０２、１０４が接続される。
【００４２】
メータＥＣＵ７６には、車速、充電状態ＳＯＣ等を示すメータ１０６（計器）が接続される。
【００４３】
エアコンＥＣＵ７８には、空気調和装置であるエアコン１０８が接続され、エアコン１０８は、車内温度及び車外温度を検出する温度センサ１１０（車内外温度センサ）を含む。
【００４４】
バッテリＥＣＵ８０には、蓄電装置２２、及び電力線５０と制御線５１が配線される充電ポート４６が接続される。また、バッテリＥＣＵ８０には、蓄電装置２２の温度を検出する図示しない温度センサが接続される。
【００４５】
上記したＥＣＵ５２、ＥＣＵ６２、ＴＣＵ７２、ＢＲＵ７４、メータＥＣＵ７６、エアコンＥＣＵ７８、及びバッテリＥＣＵ８０は、それぞれ、マイクロコンピュータを含む計算機により構成され、ＣＰＵ（中央処理装置）、メモリであるＲＯＭ（ＥＥＰＲＯＭも含む。）、ＲＡＭ（ランダムアクセスメモリ）、その他、Ａ／Ｄ変換器、Ｄ／Ａ変換器等の入出力装置、計時部としてのタイマ等を有しており、ＣＰＵがＲＯＭに記録されているプログラムを読み出し実行することで各種機能実現部（機能実現手段）、たとえば制御部、演算部、及び処理部等として機能する。
【００４６】
次に、リモコン１８の外観構成及び機能につき、概要を説明する。
【００４７】
図３は、リモコン１８の正面構成を示し、図４は、リモコン１８の表示部６０上で表示される全ての文字・数字・マーク（記号）を表示した説明のための表示状態を示している。
【００４８】
リモコン１８は、携帯することが可能な薄板直方体状の外観形状を呈しており、その機能として、（１）車両状態情報確認機能、（２）充電オンオフ（作動非作動）機能、及び（３）エアコンオンオフ（作動非作動）機能を備える。ここで、（１）の車両状態情報確認機能で確認可能な車両状態情報は、上述した車両状態テーブル２４で更新記憶される車両状態情報と略同一の情報であり、具体的には、上述の（ａ）蓄電装置２２の残量（ここでは、バッテリ残量）である充電状態ＳＯＣ（満充電を１００［％］とするパーセント表示）情報、（ｃ）車内温度（単位は、摂氏［℃］又は華氏［Ｆ］）情報、（ｄ）蓄電装置２２に対する充電中状態であるか否（非充電中状態）かを知らせる充電情報、（ｅ）エアコン１０８が作動中状態であるか否（非作動中状態）かを知らせるエアコン情報等である。
【００４９】
図４に示す表示部６０上の表示について説明すると、電波送受信中に規定時間点滅表示される電波送受信マーク２００、リモコン１８の電池残量警告マーク２０２、車内温度を表示するときに表示される車内温度表示２０４（ＩＮＳＩＤＥ  ＴＥＭＰ）、充電状態ＳＯＣを表示するときに表示される蓄電装置２２の残量表示２０６（ＢＡＴＴＥＲＹ）、１つの３セグメント表示器と２つの９セグメント表示器からなる充電状態ＳＯＣ［％］・車内温度・エラーコードの各表示２０８、エラーが発生したときに表示されるエラーマーク２１０（ｅｒｒｏｒ）、蓄電装置２２の充電中状態中に規定時間点滅表示される充電中マーク２１２、及びエアコン作動中状態中に規定時間点滅表示されるエアコン作動中マーク２１４である。
【００５０】
なお、図３に示す表示部６０の表示は、充電中マーク２１２とエアコン作動中マーク２１４とがいずれも点滅表示されている状態を示しているので、蓄電装置２２が充電中であってエアコン１０８が作動中であることを意味している。この表示状態では、車内温度表示２０４（ＩＮＳＩＤＥ  ＴＥＭＰ）と充電状態ＳＯＣ［％］を表示する残量表示２０６（ＢＡＴＴＥＲＹ）が手動操作により切り替えられる。
【００５１】
基本的には以上のように構成される車両通信システム１０の動作（処理手順）について、次に、図５の制御シーケンス図を用いて説明する。
【００５２】
［車両状態情報の確認機能］
まず、上記（１）の車両状態情報の確認機能に係る処理について説明する。
【００５３】
シーケンスＳ１にて、リモコン１８を操作するユーザによる要求操作（ユーザ要求操作：確認乃至指令）が行われる。
【００５４】
この場合、例えば、リモコン１８の電源オフ状態において、ユーザによりリモコン１８の電源スイッチ６６ａが１回だけ短い時間押されると（短押しという。）、ＥＣＵ６２は、自己（リモコン１８）の電源をオン状態にした後、シーケンスＳ２にて、電波送受信マーク２００を点滅すると共に、通信部６８から車両１２に対し、要求操作情報（電源スイッチ６６ａのオン操作によるデフォルトの要求操作情報）である車両状態の確認要求信号を、局所回線３３を通じて送信する。
【００５５】
車両１２のＢＲＵ７４は、シーケンスＳ１１にて、車両状態の確認要求信号を、アンテナ１０４を通じて受信したとき、受信した確認要求信号の内容を確認する受信処理を行い、受信処理後に、要求操作情報である車両状態情報の確認要求信号を、通信線７０を通じてバッテリＥＣＵ８０及びＴＣＵ７２に送信する。
【００５６】
ＴＣＵ７２は、シーケンスＳ３１にて、車両状態情報の確認要求信号を受信して、バッテリＥＣＵ８０による制御処理結果（この場合、確認結果信号）の受信待ち状態になる。
【００５７】
次に、バッテリＥＣＵ８０は、シーケンスＳ２１にて、内容を確認する受信処理を行う。この場合、受信内容が、車両状態情報の確認要求信号であるので、上述した（ａ）充電状態ＳＯＣ［％］情報、（ｂ）充電プラグ接続情報、（ｃ）車内外温度情報、（ｄ）充電情報、及び（ｅ）エアコン情報の各情報を検知し、これらを含む制御処理結果の情報である車両状態情報を、通信線７０を介してＢＲＵ７４に送信すると共に、ＴＣＵ７２に送信する。
【００５８】
ＢＲＵ７４は、シーケンスＳ１２にて、受信処理した後、制御処理結果である充電状態ＳＯＣ［％］情報及び車内外温度情報等の上記（ａ）〜（ｅ）の車両状態情報を、局所回線３３を通じてリモコン１８に送信する。
【００５９】
リモコン１８のＥＣＵ６２は、シーケンスＳ３にて、受信処理を行い、受信した制御処理結果である、前記車両状態情報の各情報の内容に応じた表示を表示部６０上に行う。
【００６０】
この場合、ＥＣＵ６２は、充電状態ＳＯＣ［％］を表示するのであれば、例えば、図６Ａに示すように、残量表示２０６を示す「ＢＡＴＴＥＲＹ」と、充電状態ＳＯＣ＝７０［％］の表示２０８とを表示部６０上に表示する。また、充電情報により蓄電装置２２が実際に充電中である場合には、図６Ｂに示すように、さらに、充電中マーク２１２を点滅表示させる。
【００６１】
このようにして、シーケンスＳ１にて、リモコン１８を操作したユーザは、リモコン１８の表示部６０上で車両状態情報を確認（視認）することができる。
【００６２】
この場合、シーケンスＳ１のユーザ要求操作からシーケンスＳ３の表示部６０で制御処理結果を表示するまでの所要時間は、局所回線３３を利用しているので、１秒程度未満の瞬時の短時間である。
【００６３】
一方、シーケンスＳ２１で、バッテリＥＣＵ８０から送信された車両状態情報を、ＴＣＵ７２は、シーケンスＳ３２にて、受信処理した後、制御処理結果である充電状態ＳＯＣ［％］及び車内外温度等の上記した（ａ）〜（ｅ）の車両状態情報を、移動通信回線３１を通じてサーバ１４に送信する（アップロードする）。
【００６４】
サーバ１４は、シーケンスＳ４１にて、受信処理を行い、車両１２の車両状態テーブル２４の上記（ａ）〜（ｅ）の車両状態情報の内容を受信した新たな（最新の）車両状態情報に更新する（ストアする又はダウンロードするともいう。）。
【００６５】
このように、この実施形態によれば、リモコン１８からシーケンスＳ１にて車両１２に対してユーザ要求操作がなされたとき、車載制御部であるバッテリＥＣＵ８０は、制御処理結果の車両状態情報を、ＢＲＵ７４を通じてリモコン１８に送信する（シーケンスＳ１２）と共に、ＴＣＵ７２を通じてサーバ１４にアップロードする（シーケンスＳ３２）ように構成している。このため、車両１２での処理結果がリモコン１８上とサーバ１４上とで同期（シーケンスＳ３、Ｓ４１）して更新される。
【００６６】
したがって、その後に、携帯通信端末１６上で操作部５６が操作され、シーケンスＳ５１にて、例えば、車両状態情報を確認しようとするユーザ要求操作が行われたことを、ＥＣＵ５２が検知すると、シーケンスＳ５２にて、通信部５８から移動通信回線３２を介してサーバ１４に、要求操作情報である車両状態情報の確認要求信号が送信される。
【００６７】
サーバ１４は、シーケンスＳ４２にて、携帯通信端末１６から要求操作情報である車両状態情報の確認要求信号を受信すると、受信内容を確認する受信処理を行った後、シーケンスＳ４１で、更新されている車両状態テーブル２４を参照し、車両状態テーブル２４に記憶されている上記（ａ）〜（ｅ）の車両状態情報を、移動通信回線３２を介し、携帯通信端末１６に対して送信する（返信する。）。すなわち、サーバ１４は、車両状態テーブル２４にストアされているデータ（ストアデータ）を携帯通信端末１６に送信する。
【００６８】
携帯通信端末１６のＥＣＵ５２は、シーケンスＳ５３にて、受信処理を行い、受信した制御処理結果である、（ａ）充電状態ＳＯＣ［％］情報、（ｂ）充電プラグ４２が接続されているか否かの充電プラグ接続情報、（ｃ）車内外温度情報、（ｄ）充電情報、及び（ｅ）エアコン情報の各情報の内容に応じた表示を、表示部５４上に行う。
【００６９】
このようにして、シーケンスＳ５３にて、携帯通信端末１６を操作したユーザは、携帯通信端末１６の表示部５４上で車両状態情報を確認（視認）することができる。
【００７０】
なお、サーバ１４と車両１２との間の移動通信回線３１を通じての通信費を、例えば、車両１２のメーカやサービス会社が負担するようにすれば、ユーザは、携帯通信端末１６とサーバ１４との間の移動通信回線３２を通じての通信費の負担で車両１２の車両状態情報を確認することができるので、そのようにした場合には、この実施形態に係る車両通信システム１０の普及が促進される。
【００７１】
［充電オンオフ機能］
次に、上記（２）の充電オンオフ機能の処理について説明する。
【００７２】
シーケンスの内容（制御処理内容）は、図５のシーケンス図に示したのと同様であるので、煩雑となるのを回避するために図５を参照しながら簡単に説明する。
【００７３】
（ｉ）車両１２の充電オフ状態から充電オン状態への切り替え処理
リモコン１８による最初のシーケンスＳ１−Ｓ３（Ｓ１→Ｓ２→Ｓ１１→Ｓ２１→Ｓ１２→Ｓ３）による車両状態の確認後、表示部６０に車両状態を表示中（図６Ａ参照）の規定時間（例えば、１５秒）以内に充電スイッチ６６ｂが長押しされると（シーケンスＳ１）、電波送受信マーク２００が点滅され、充電中マーク２１２が非表示中（充電中マーク２１２消灯中）に、さらに、前記充電スイッチ６６ｂが押されＥＣＵ６２により検知されると、ＥＣＵ６２から充電オン信号が、通信部６８（シーケンスＳ２）、局所回線３３、ＢＲＵ７４（シーケンスＳ１１）、通信線７０を通じてバッテリＥＣＵ８０に送信されると共に、ＴＣＵ７２に送信される。
【００７４】
次に、シーケンスＳ２１で、バッテリＥＣＵ８０は、例えば、車両１２に対する充電処理が、自身のタイマ充電での充電待ち状態になっていた場合には、前記充電オン信号の受信により自身の充電タイマをリセットし、充電プラグ４２が充電ポート４６に接続されていることを確認して、外部充電装置２０からケーブル４０、充電プラグ４２、充電ポート４６、及び電力線５０を通じての蓄電装置２２に対する充電を開始させる。
【００７５】
バッテリＥＣＵ８０は、充電電流の流れ等により充電が実際に行われていることを確認すると、そのシーケンスＳ２１で、充電中状態データを含む車両状態情報を、ＢＲＵ７４（シーケンスＳ１２）を通じてリモコン１８に送信する（シーケンスＳ３）と共に、ＴＣＵ７２に充電中状態データを含む車両状態情報を送信する。
【００７６】
このとき、リモコン１８は、図６Ｂに示すように、表示部６０中に、充電中マーク２１２を点滅表示させる（シーケンスＳ３）と共に、表示２０８として現在の充電状態ＳＯＣ［％］を表示する（図６Ｂでは、ＳＯＣ＝７０［％］）。一方、シーケンスＳ３２で充電中状態データを含む車両状態情報を受信したＴＣＵ７２は、当該車両状態情報を、移動通信回線３１を介してサーバ１４に送信する（シーケンスＳ３２）。サーバ１４は、これに同期して、シーケンスＳ４１にて、車両状態テーブル２４の車両状態情報を（ｄ）充電中状態とした内容に変更する（更新する）。
【００７７】
（ｉｉ）充電オン状態から充電オフ状態への切り替え処理
リモコン１８による最初のシーケンスＳ１−Ｓ３による車両状態の確認後、表示部６０が表示中の規定時間（例えば、１５秒）内に充電スイッチ６６ｂを長押しすると（シーケンスＳ１）、電波送受信マーク２００が点滅する。
【００７８】
ここで、図６Ｂに示すように、充電中マーク２１２が表示中（充電中マーク２１２点滅中）であるとき、充電スイッチ６６ｂがさらに短押しされＥＣＵ６２により操作が検知されると、ＥＣＵ６２から充電オフ信号が、通信部６８（シーケンスＳ２）、局所回線３３、ＢＲＵ７４（シーケンスＳ１１）、通信線７０を通じてバッテリＥＣＵ８０に送信されると共に、ＴＣＵ７２に送信される。
【００７９】
シーケンスＳ２１で、バッテリＥＣＵ８０は、充電オン状態を充電オフ状態に切り替える。そして、バッテリＥＣＵ８０は、充電電流の遮断等により充電オフへの変化を実際に確認すると、そのシーケンスＳ２１で、非充電中状態データを含む車両状態信号を、ＢＲＵ７４（シーケンスＳ１２）を通じてリモコン１８に送信すると共に、ＴＣＵ７２に送信する。ＴＣＵ７２は、非充電中状態データを含む車両状態信号を、シーケンスＳ３２にて移動通信回線３１を通じてサーバ１４に送信する。
【００８０】
このとき、リモコン１８は、図６Ａに示すように、充電中マーク２１２を非表示状態にさせる（シーケンスＳ３）。一方、サーバ１４は、これに同期して、シーケンスＳ４１にて、車両状態テーブル２４の車両状態情報を（ｄ）非充電中状態とした内容に変更する（更新する）。
【００８１】
［エアコンオンオフ機能］
上記（３）のエアコンオンオフ機能も、上述した充電オンオフ機能と同様に図５のシーケンス処理と同等の処理がなされる。煩雑を回避するために、図５のシーケンス図を参照してより簡単に説明すれば、図６Ａ又は図６Ｂの車両状態確認後、規定時間、例えば１５秒以内の表示部６０への表示中に、エアコンスイッチ６６ｃを長押しすると電波送受信マーク２００が点滅する。
【００８２】
そして、車両１２と通信することで、表示部６０上にエアコン情報が表示される。ここで、エアコン情報は、エアコン作動中マーク２１４の非表示（非作動中）又は点滅表示（作動中）で確認される。なお、車内温度表示２０４（「ＩＮＳＩＤＥ  ＴＥＭＰ」）は、エアコン１０８の作動状態に関わらずに確認することができる。
【００８３】
車両状態確認後、エアコン作動中マーク２１４の表示中、すなわち当該マーク２１４の点滅中に、エアコンスイッチ６６ｃが押されると、車両１２と通信され、エアコンＥＣＵ７８を通じてエアコン１０８の作動が実際に停止されると、エアコン作動中マーク２１４が消灯する。
【００８４】
一方、車両状態確認後、エアコン作動中マーク２１４が非表示中、すなわち当該マーク２１４の消灯中に、エアコンスイッチ６６ｃが押されると、車両１２と通信され、エアコンＥＣＵ７８を通じてエアコン１０８の作動が実際に開始されると、エアコン作動中マーク２１４が表示（点滅表示）される。
【００８５】
この場合にも、サーバ１４上の車両状態テーブル２４の内容は、エアコン１０８の実際の非作動中状態への変化、又は実際の作動中状態への変化の確認後に同期して更新される点に留意する。
【００８６】
なお、上記各処理において、リモコン１８の電源は、各操作後規定時間、例えば約１５秒間、操作部６６の無操作期間が続くと、ＥＣＵ６２により電源がオフ状態にされる。また、表示部６０上で表示がなされているときに、電源スイッチ６６ａを長押し、例えば約１秒間押し続けても、電源がオフ状態にされる。
【００８７】
［実施形態のまとめ］
以上説明したように、この実施形態に係る車両通信システム１０は、移動通信回線３２を通じてサーバ１４と通信する携帯通信端末１６と、移動通信回線３１を通じてサーバ１４との間で通信する車載通信部としてのＴＣＵ７２と、蓄電装置２２と、前記蓄電装置２２の少なくとも充電状態を含む車両状態を確認乃至変更する車載制御部としてのバッテリＥＣＵ８０やエアコンＥＣＵ７８と、を備える車両１２と、車両１２の前記車両状態を確認乃至変更する確認乃至変更指令をバッテリＥＣＵ８０に送信する双方向無線方式のリモコン１８と、を備える。
【００８８】
この場合、ＴＣＵ７２は、リモコン１８からの前記確認乃至変更指令によりバッテリＥＣＵ８０が前記車両状態を確認乃至変更したときの車両状態情報を、移動通信回線３１を通じてサーバ１４にアップロードするように構成している。
【００８９】
このように、リモコン１８からの確認乃至変更指令によりバッテリＥＣＵ８０が車両状態を確認乃至変更したとき、確認乃至変更したときの車両状態情報を、移動通信回線３１を通じてサーバ１４にアップロードするようにしたので、サーバ１４の車両状態テーブル２４に最新の車両状態情報を記憶しておくことができる。なお、車両１２が走行中であっても、外部から充電状態ＳＯＣ等の確認は可能であるが、充電制御及びエアコン制御等の変更は禁止されている。
【００９０】
この場合において、車両１２は、充電プラグ４２を通じて外部充電装置２０に接続されて蓄電装置２２が充電されるものであり、バッテリＥＣＵ８０は、充電プラグ４２の充電ポート４６からの着脱状態を前記車両状態として確認するものであり、ＴＣＵ７２は、前記着脱状態が変更されたとき、変更後の内容を前記車両状態情報として、移動通信回線３１を通じてサーバ１４にアップロードするように構成している。
【００９１】
このように、バッテリＥＣＵ８０は、充電プラグ４２の着脱状態が変更されたとき、変更後の内容を車両状態情報としてサーバ１４にアップロードするようにしたので、サーバ１４の車両状態テーブル２４に、最新の、外部充電装置２０との接続状態又は非接続に係る車両状態情報を記憶しておくことができる。
【００９２】
なお、サーバ１４は、携帯通信端末１６から移動通信回線３１を通じて前記車両状態の確認要求を受信したとき、車両状態テーブル２４に記憶されている最新の車両状態情報を携帯通信端末１６に送信するように構成している。
【００９３】
このため、携帯通信端末１６のユーザは、サーバ１４に問い合わせることで、最新の車両状態情報を素早く取得することができる。つまり、リモコン１８を利用した車両１２側での車両状態の確認乃至変さらに同期してサーバ１４側の車両状態テーブル２４の車両状態情報が変更（更新）されるので、携帯通信端末１６からサーバ１４に車両状態の確認要求がなされたとき、サーバ１４は、移動通信回線３１を介して車両１２に車両状態情報を問い合わせる必要がなくなる。そのため、その分（サーバ１４から移動通信回線３１を介して車両１２に問い合わせて車両１２から返信を受領するまでの時間）早く、携帯通信端末１６で車両状態情報を取得することができる。また、車両１２に対する外部充電装置２０の充電プラグ４２の接続状態及び非接続状態も、携帯通信端末１６が取得した車両状態情報で同時に確認することができる。
【００９４】
なお、サーバ１４は、ＴＣＵ７２から移動通信回線３１を通じて前記車両状態情報を受信した都度、受信した前記車両状態情報を、移動通信回線３１を通じて携帯通信端末１６に送信するようにすれば、サーバ１４がＴＣＵ７２から車両状態情報を受信したとき、自動的に、携帯通信端末１６に、変更後の車両状態情報を通知することができる。
【００９５】
また、この発明は、上記した実施形態に限らず、この明細書の記載内容に基づき、種々の構成を採ることができることはもちろんである。
【００９６】
例えば、車両通信システム１０が、携帯通信端末１６からも車両１２に対して蓄電装置２２の充電オンオフ指令やエアコン１０８の作動オンオフ指令等の変更指令を送出することが可能な車両通信システム１０の構成である場合に、換言すれば、携帯通信端末１６が、車両１２の前記車両状態を変更する変更指令を、移動通信回線３１、３２及び仲介処理するサーバ１４を通じ、ＴＣＵ７２を介して車載制御部としてのエアコンＥＣＵ７８、バッテリＥＣＵ８０に送信することができるシステムであるものとする。
【００９７】
サーバ１４は、携帯通信端末１６から前記変更指令を受けたとき、当該変更指令の内容が、ＴＣＵ７２から受信している前記車両状態情報の変更指令の内容と同内容であるとき、携帯通信端末１６からの前記変更指令をＴＣＵ７２には送信せずに、既に変更指令がバッテリＥＣＵ８０やエアコンＥＣＵ７８に通知済みであることを携帯通信端末１６に送信するように構成してもよい。
【００９８】
このように、携帯通信端末１６とリモコン１８との指令が衝突した場合に、リモコン１８の変更指令を優先することで、ユーザの感性に合致した適切な調停を行うことができる。
【図１】
2014002245.tif 000003
【図２】
2014002245.tif 000004
【図３】
2014002245.tif 000005
【図４】
2014002245.tif 000006
【図５】
2014002245.tif 000007
【図６】
2014002245.tif 000008
【国際調査報告】
2014002245.tif 000009
2014002245.tif 000010
2014002245.tif 000011
2014002245.tif 000012